(57)【特許請求の範囲】
【請求項１】
円形断面のマンホールを補強する構造であって、
改質硫黄からなり、前記マンホールの内壁面に沿って平面視で多角形状に並ぶように配置された複数の平板状の防食ボードと、
前記防食ボードと、前記マンホールの内壁面との間に介在されたセメント系材料と、
隣接する前記防食ボードの間に流動状態で充填され、経時的に固化した耐酸性の固化剤と、を備え、
隣接する前記防食ボードの互いに対向する側辺の少なくとも一方には、当該隣接する防食ボードの間の目地が、前記マンホールの内側へ向けて広がるように、傾斜が設けられており、
前記マンホールは内周面の一部に突起部を備え、
前記防食ボードは前記突起部の周囲以外の部位に配置され、前記固化剤は、前記突起部の周囲のマンホールの内壁面が露出した部分にも塗布されていることを特徴とするマンホールの補強構造。
【請求項２】
前記防食ボードの少なくとも一方の側辺に、前記傾斜が設けられていることを特徴とする請求項１記載のマンホールの補強構造。
【請求項３】
前記防食ボードは、前記改質硫黄に補強繊維を含んだ補強層を備えることを特徴とする請求項１又は２記載のマンホールの補強構造。
【請求項４】
前記補強層は、前記補強繊維がネット状に配置されてなることを特徴とする請求項３記載のマンホールの補強構造。
【請求項５】
前記補強繊維は、炭素繊維であることを特徴とする請求項４記載のマンホールの補強構造。
【請求項６】
前記固化剤は、エポキシ樹脂と硅砂とを含有する接着剤であることを特徴とする請求項１から５何れかに記載のマンホールの補強構造。
【請求項７】
円形断面のマンホールを補強する方法であって、
改質硫黄からなる複数の平板状の防食ボードを、前記マンホールの内壁面に沿って平面視で多角形状に並ぶように配置するとともに、前記防食ボードと前記マンホールの内壁面との間にセメント系材料を介在させる防食ボード設置工程と、
経時的に固化する耐酸性の固化剤を隣接する前記防食ボードの間の目地に流動状態で充填する固化剤充填工程と、を備え、
予め、隣接する前記防食ボードの互いに対向する側辺の少なくとも一方に、当該隣接する防食ボードの間の目地が、前記マンホールの内側へ向けて広がるように、傾斜を設けておき、
前記防食ボード設置工程では、
前記マンホールの内壁面にアンカーボルトを打設しておき、
裏面に前記セメント系材料が塗布された前記防食ボードを、前記防食ボードに形成されたボルト孔に前記アンカーボルトが挿通するように配置し、
前記アンカーボルトにナットを締め付けることにより、前記防食ボードと前記ナットの間に介在する押し付け部材を介して、前記防食ボードを前記マンホールの内壁面に押し付けるように設置し、
前記固化剤充填工程において、充填した固化剤が固化した後に、前記ナット及び押し付け部材を取り外して、前記アンカーボルトの頭部側に皿ナットを設け、該皿ナットが前記ボルト孔を塞いだ状態とし、前記アンカーボルトのうち前記皿ナットから突き出た部分を切断するとともに、前記アンカーボルトの頭部側及び前記皿ナットに防食被覆を施すことを特徴とするマンホールの補強方法。
【発明の詳細な説明】
【技術分野】
【０００１】
本発明は、内壁面が腐食されたマンホールを構造補強するとともに防食被覆を施す補強構造及び方法に関する。
【背景技術】
【０００２】
マンホールには常時土圧が作用しており、この土圧に抵抗できるように十分な構造的耐力が必要とされるため、コンクリートにより構成される。しかし、マンホールを構成するコンクリートは、長期間に亘って下水から発生する硫化水素に曝されることにより、内壁面が腐食されることがある。このように内壁面が腐食された状態で放置すると、構造的耐力が低下してしまうため、適宜な時期に、マンホールの内壁面を構造的に補強するとともに、防食被覆を施す必要がある。
【０００３】
ところで、本願出願人は、改質硫黄に補強繊維を含んだ補強層を介在させてなる防食ボードを表面に取り付け、防食ボードの目地に耐酸性を有する接着剤を充填することにより、下水施設などの高腐食環境下にあるコンクリート構造物を防食被覆する方法を提案しており（例えば、特許文献１参照）、この方法によりマンホールを防食被覆することが考えられる。
【特許文献１】特開２００７―１０６６４５号公報
【発明の開示】
【発明が解決しようとする課題】
【０００４】
上記の防食ボードをマンホールの内壁の防食に適用する場合、複数の防食ボードをマンホールの内壁面に沿って多角形状に取り付けることとなる。その場合、図９に示すように、防食ボード１１０の各辺が表面に対して垂直に形成されているため、横方向に隣接する防食ボード１１０の目地１４０Ａはマンホール内側に近いほど狭まる構成となり、マンホール内側から目地１４０Ａの内部に接着剤を十分に充填することは難しい。このように、目地１４０Ａの内部に完全に接着剤を充填することができないと、構造的に十分な耐力が得られず、また、目地の防食性能が低下してしまう。
【０００５】
本発明は、上記の問題に鑑みなされたものであり、マンホールを十分に補強しつつ防食被覆を施すことができる補強構造を提供することである。
【課題を解決するための手段】
【０００６】
本発明のマンホールの補強構造は、円形断面のマンホールを補強する構造であって、 改質硫黄からなり、前記マンホールの内壁面に沿って平面視で多角形状に並ぶように配置された複数の平板状の防食ボードと、前記防食ボードと、前記マンホールの内壁面との間に介在されたセメント系材料と、隣接する前記防食ボードの間に流動状態で充填され、経時的に固化した耐酸性の固化剤と、を備え、隣接する前記防食ボードの互いに対向する側辺の少なくとも一方には、当該隣接する防食ボードの間の目地が、前記マンホールの内側へ向けて広がるように、傾斜が設けられており、前記マンホールは内周面の一部に突起部を備え、前記防食ボードは前記突起部の周囲以外の部位に配置され、前記固化剤は、前記突起部の周囲のマンホールの内壁面が露出した部分にも塗布されていることを特徴とする。
ここで、前記防食ボードの少なくとも一方の側辺に、前記傾斜が設けられていてもよい。
【０００７】
ここで、前記防食ボードは、前記改質硫黄に補強繊維を含んだ補強層を備えてもよい。また、前記補強層は、前記補強繊維がネット状に配置されていてもよく、前記補強繊維は、炭素繊維であってもよい。また、前記固化剤は、エポキシ樹脂と硅砂とを含有する接着剤であってもよい。
【０００８】
また、本発明のマンホールの補強方法は、円形断面のマンホールを補強する方法であって、改質硫黄からなる複数の平板状の防食ボードを、前記マンホールの内壁面に沿って平面視で多角形状に並ぶように配置するとともに、前記防食ボードと前記マンホールの内壁面との間にセメント系材料を介在させる防食ボード設置工程と、経時的に固化する耐酸性の固化剤を隣接する前記防食ボードの間の目地に流動状態で充填する固化剤充填工程と、を備え、予め、隣接する前記防食ボードの互いに対向する側辺の少なくとも一方に、当該隣接する防食ボードの間の目地が、前記マンホールの内側へ向けて広がるように、傾斜を設けておき、前記防食ボード設置工程では、前記マンホールの内壁面にアンカーボルトを打設しておき、裏面に前記セメント系材料が塗布された前記防食ボードを、前記防食ボードに形成されたボルト孔に前記アンカーボルトが挿通するように配置し、前記アンカーボルトにナットを締め付けることにより、前記防食ボードと前記ナットの間に介在する押し付け部材を介して、前記防食ボードを前記マンホールの内壁面に押し付けるように設置し、前記固化剤充填工程において、充填した固化剤が固化した後に、前記ナット及び押し付け部材を取り外して、前記アンカーボルトの頭部側に皿ナットを設け、該皿ナットが前記ボルト孔を塞いだ状態とし、前記アンカーボルトのうち前記皿ナットから突き出た部分を切断するとともに、前記アンカーボルトの頭部側及び前記皿ナットに防食被覆を施すことを特徴とする。
【発明の効果】
【００１０】
本発明によれば、隣接する防食ボードの対向する端辺に、前記横方向に隣接する防食ボードとの目地が、前記マンホールの中心に向かって広がるような傾斜が設けられており、目地に確実に固化剤を充填することができる。このため、確実に目地を防食被覆することができる。また、補強構造に用いられている防食ボード、セメント系材料及び固化剤は、マンホールを構成するコンクリートと同等あるいはそれ以上の強度を有するため、マンホールを確実に構造補強することができる。
【発明を実施するための最良の形態】
【００１１】
以下、本発明のマンホールの補強構造の一実施形態を図面を参照しながら説明する。
図１〜図３は、本実施形態のマンホール１の補強構造１００の構成を示す図であり、図１は横方向断面図、図２はマンホール１の内壁面の展開図、図３は図１におけるＡ部の拡大図である。図１〜図３に示すように、本実施形態の補強構造１００は、平板状に形成され、マンホール１の内壁面に沿って、平面視で多角形状に、かつ、上下に複数段に配置された防食ボード１０と、防食ボード１０とマンホール１の内壁面との間に介装されたモルタル３０と、防食ボード１０をマンホール１の内壁に向けて押し付けるアンカー２０及び皿ナット２１と、隣接する防食ボード１０の間の目地４Ａ，４Ｂに充填された接着剤４０Ａ、４０Ｂと、を備える。防食ボード１０は、腐食していない状態のマンホール１を構成するコンクリートの表面となる位置と略一致するように配置されている。
【００１２】
図４は、防食ボード１０の詳細な構造を示す図であり、（Ａ）は斜視図、（Ｂ）は内部構成を示すべく一部を除去して示す図である。同図に示すように、防食ボード１０は、表裏面に層状に設けられた改質硫黄１１ａ、１１ｂと、これらの改質硫黄１１ａ、１１ｂの間に介在する補強層１２とから構成されている。また、防食ボード１０の両側辺（マンホール１に取り付けた際に横方向に隣接する防食ボード１０と対向する辺、図４（Ａ）では防食ボード１０の長辺）には、マンホール１の内壁面に取り付けられた際に、横方向に隣接する防食ボード１０により形成される目地がマンホール１の内側に向けて広がるように傾斜が設けられている。また、防食ボード１０の裏面（マンホール１０内壁面と対向する側の面）には、モルタル３０との付着力を向上するため目荒らしが施されている。
【００１３】
改質硫黄１１ａ、１１ｂは、硫黄に所定の添加剤を加えて改質した固化体であり、例えば、石油精製の脱硫工程で回収された硫黄にオレフィン系化合物を加え、さらに、鉄鋼スラグや石炭灰等を混ぜ合わせて固化させることにより製造される。このような改質硫黄１１ａ、１１ｂは後述するように圧縮強度及び曲げ強度がコンクリートに比べて高く、また、耐酸性を有する。このため、改質硫黄１１ａ、１１ｂを備えた防食ボード１０は、コンクリートに比べて高強度で耐酸性に優れている。なお、ここでいう耐酸性とは、下水道事業団平成１４年１２月版「下水道コンクリート構造物の腐食抑制技術及び防食指針・同マニュアル」品質規格に適合することをいい、出願人らは、このような改質硫黄１１ａ、１１ｂを備えた防食ボード１０について、上記の品質規格に適合することを実験により確認している。
【００１４】
一方、補強層１２は、補強繊維をネット状に配置することにより構成されている。このように補強繊維をネット状に配置することにより、補強効果を向上させつつ、防食ボード１０のコストを抑えることができる。補強繊維としては、たとえば、ビニロン短繊維や、ボリプロピレン、ガラス、アラミド、ポリエチレン等からなる補強繊維を用いることができ、特に炭素繊維が好適である。なお、本実施形態では、補強層１２は改質硫黄１１ａ、１１ｂの中央部に一層だけ設ける構成としたが、改質硫黄の中央に複数埋め込む構成や、改質硫黄の表層に埋め込む構成としてもよい。このように、改質硫黄１１ａ、１１ｂの間に補強層１２を介在させることにより、防食ボード１０の強度を向上することができる。
【００１５】
防食ボード１０は、例えば、硅砂を混入した溶融硫黄１１ａを所定の型枠に半分流し込んで、その上から補強層１２を構成する炭素繊維ネットを敷き、さらに、残り半分の溶融硫黄１１ｂを流し込み、固化した改質硫黄１１ａ、１１ｂの端辺を傾斜するように切除することにより、製造することができる。
【００１６】
図２及び図３に戻り、マンホール１の内壁面には昇降用のステップ（特許請求の範囲における「突起物」に相当）３が設けられている。ステップ３に当たる部位にはステップ３と干渉しないように、他の部位とは大きさの異なる防食ボード１０が用いられている。そして、ステップ３の周囲のマンホール１の内壁面が露出する部分には、目地４Ａ，４Ｂと同様に接着剤４２が塗布されている。また、皿ナット２１には、マンホール１の内壁面側から覆うように接着剤４１が塗布されている。
【００１７】
本実施形態の補強構造１００に用いられる接着剤４０Ａ、４０Ｂ、４１、４２は、耐酸性を有する接着剤である。なお、上記の防食ボード１０と同様に、耐酸性とは、下水道事業団平成１４年１２月版「下水道コンクリート構造物の腐食抑制技術及び防食指針・同マニュアル」品質規格に適合することをいう。接着剤４０Ａ、４０Ｂ、４１、４２としては、例えば、樹脂系接着剤（エポキシ樹脂系、ビニルエステル樹脂系、シリコーン系、アクリル樹脂系など）、ゴム系接着剤（クロロプレンゴム系など）、若しくは水・気硬性接着剤（セメント系、石膏系など）等があり、特に、耐酸エポキシ樹脂と硅砂とを含有したものが好ましい。耐酸エポキシ樹脂に硅砂を混入しておくことにより、接着剤の粘性が増し、接着剤が垂れにくくなって施工性が向上する。このような接着剤としては、例えば、コニシ株式会社のボンドＥ４５５Ｃ（商品名）などを用いることができる。なお、出願人らは、本実施形態で用いられる接着剤が上記の品質規格に適合することを実験により確認している
【００１８】
図５は、本実施形態の補強構造１００に用いられる各材料の圧縮強度及び曲げ強度を示す表である。同図に示すように、マンホール１を構成するコンクリートは、圧縮強度３５．０[Ｎ／ｍｍ２]、曲げ強度６．０[Ｎ／ｍｍ２]、であるのに対して、硫黄固化体（改質硫黄）は、圧縮強度５４．６[Ｎ／ｍｍ２]、曲げ強度１０．１[Ｎ／ｍｍ２]である。また、防食ボード１０とマンホール１の間に充填されたモルタル３０は、圧縮強度４２．０[Ｎ／ｍｍ２]、曲げ強度７．０[Ｎ／ｍｍ２]、である。また、目地に充填された接着剤４０Ａ（コニシ株式会社製のボンドＥ４５５Ｃ（商品名））は、圧縮強度６５．４[Ｎ／ｍｍ２]、曲げ強度３５．８[Ｎ／ｍｍ２]である。このように、本実施形態の補強構造１００を構成する各材料は、マンホール１を構成するコンクリートに比べて高い圧縮強度及び曲げ強度を有するため、補強構造１００により補強されたマンホール１は、腐食の影響のない状態のマンホールと同等あるいはそれ以上の構造性能を確保することができる。
【００１９】
以下、かかる構成の補強構造１００を構築する方法を図６及び図７を参照しながら、説明する。なお、図６は、補強構造１００を構築する方法を説明するための図であって、マンホール上方から下方を見た透視図である。また、図７は、アンカーの取り付けられた部分を示す拡大断面図である。
補強構造１００によりマンホール１の補強を行う際には、まず、マンホール１の内壁面の腐食した部分を切除し、マンホール１の内壁面を洗浄して表面の付着物等を除去する。そして、防食ボード１０を取り付ける位置及びアンカーを打設する位置を墨出し、墨出しした位置にアンカー孔３を設け、このアンカー孔３にアンカーボルト２０を固定する。また、各防食ボード１０のアンカーボルト２０に当たる位置には貫通孔１３を設けておく。
【００２０】
また、上記の作業と平行してモルタル３０を作成しておく。そして、防食ボード１０の裏面に、防食ボード１０とマンホール１の内壁面との間に隙間なく充填されるように十分な量のモルタル３０を塗布し、図６（Ａ）に示すように、このモルタル３０を塗布した防食ボード１０を、横方向に隣接する防食ボード１０の傾斜が設けられた端辺同士が対向し、かつ、複数の防食ボード１０が平面視で正多角形状に並ぶように設置する。そして、図７（Ａ）に示すように、防食ボード１０がマンホール１の内壁面に押しつけられるように、アンカーボルト２０に押さえ部材２２及びナット２１を取り付ける。なお、上記のように、ステップ３にあたる位置には、ステップ３と干渉しないような大きさに成形した防食ボード１０を取り付ける。このようにして防食ボード１０の取り付け作業を上下方向に複数段に亘って行う。
【００２１】
次に、図６（Ｂ）に示すように、防食ボード１０の目地４Ａ，４Ｂに接着剤４０Ａ、４０Ｂを充填する。この際、上記のように、横方向に隣接する防食ボード１０の対向する端部には、傾斜が設けられているため、マンホールの内側から容易に接着剤４０Ａを目地４Ａ内部に充填することができる。このようにして、上下方向各段の防食ボード１０の目地４Ａ，４Ｂに接着剤４０Ａ，４０Ｂを充填する。また、ステップ３の周囲のマンホール１の内壁面の露出している部分にも同様の接着剤４２を塗布する。
【００２２】
そして、防食ボード１０とマンホール１の内壁面との間のモルタル３０が硬化した後、図６（Ｃ）に示すように、ナット２１及び押し付け部材２２を取り外し、アンカーボルト２０に皿ナット２５を螺合させ、皿ナット２５がボルト孔１３を塞いだ状態にする。そして、図６（Ｄ）及び図７（Ｂ）に示すように、アンカーボルト２０の皿ナット２５から突き出た部分を切断し、皿ナット２５の表面に防食ボード１０の目地４Ａ，４Ｂに充填したものと同様の耐酸性を有する接着剤４１を塗布する。この接着剤４１が固化することにより、本実施形態の補強構造１００が構築される。
【００２３】
以上説明したように、本実施形態によれば、横方向に隣接する防食ボード１０の目地４Ａがマンホール１の内側に向かって広がるように、防食ボード１０の両側辺に傾斜が設けられているため、マンホール１の内側から目地４Ａに確実に接着剤４０Ａを充填することができる。これにより、確実にマンホール１の内壁面を防食被覆することができる。また、ステップ３にあたる位置には、ステップ３と干渉しないような大きさに形成した防食ボード１０を取り付け、ステップ３の周囲のマンホール１の内壁面が露出した部位に接着剤４２を塗布する構成としたため、ステップ３を取り外すことなく、施工を行うことができる。
【００２４】
また、本実施形態の補強構造１００は、モルタル３０、防食ボード１０及び接着剤４０Ａ，４０Ｂがマンホール１を構成するコンクリートと同等あるいはそれ以上の強度を有するため、コンクリートのみからなるマンホールと同等あるいはそれ以上の強度を確保することができる。さらに、防食ボード１０を横方向に正多角形状に配置し、防食ボード１０間の目地４Ａに充填した接着剤４０Ａが固化することにより、これらが一体となって、周囲の地盤からマンホール１に作用する土水圧によりマンホール１の内壁面に作用する周方向の圧縮力に対して効果的に抵抗することができる。
【００２５】
なお、本実施形態では、補強層１２を備えた防食ボード１０を用いる構成としたが、上記のように、防食ボード１０を構成する改質硫黄１１ａ、１１ｂ、モルタル３０及び接着剤４０ａ、４０ｂがマンホール１を構成するコンクリートとほぼ同等あるいはそれ以上の強度を備えるため、補強層１２を備えていない防食ボードであっても、同様の効果が得られる。
【００２６】
また、本実施形態では、防食ボード１０とマンホール１の内壁面との間にモルタル３０を介在させる構成としたが、これに限らず、マンホール１を構成するコンクリートと同等あるいはそれ以上の強度を有するコンクリートやグラウト等のセメント系材料を介在させる構成としてもよい。
【００２７】
また、本実施形態では、防食ボード１０の目地４Ａ，４Ｂに、耐酸エポキシ樹脂と硅砂とを含有した接着剤４０Ａ、４０Ｂを充填する構成としたが、これに限らず、マンホール１を構成するコンクリートと同等あるいはそれ以上の強度と耐酸性を備え、流動性を有する状態から経時的に固化する耐酸性の固化剤であれば、用いることができる。
【００２８】
また、本実施形態では防食ボード１０の両側辺に傾斜を設ける構成としたが、必ずしも、傾斜を両側辺に設ける必要はなく、横方向に隣接する防食ボード１０の何れか一方に目地が内側に向かって広がるような傾斜を設ける構成としてもよい。
【００２９】
また、本実施形態では、傾斜が厚さ方向全体に亘って設けられた防食ボード１０を用いるものとしたが、これに限らず、例えば、図８に示すように、厚さ方向中間部から表面に達するような傾斜２１０Ａが設けられた防食ボード２１０を用いてもよい。かかる場合であっても、隣接する防食ボード２１０間の目地４Ａのマンホール１中心側の部分が、マンホール中心に向けて広がる形状となるため、マンホール１中心側から目地４Ａに確実に接着剤４０Ａを充填することができる。
【図面の簡単な説明】
【００３０】
【図１】本実施形態のマンホールの補強構造の構成を示す横方向断面図である。
【図２】本実施形態のマンホールの内壁面の展開図である。
【図３】図１におけるＡ部の拡大図である。
【図４】防食ボードを示し、（Ａ）は斜視図、（Ｂ）は内部構成を示すべく一部を除去して示す図である。
【図５】本実施形態の補強構造に用いられる各材料の圧縮強度及び曲げ強度を示す表である。
【図６】補強構造を構築する方法を説明するためのマンホール上方から下方を見た透視図である。
【図７】補強構造を構築する方法における、アンカーの取り付けられた部分を示す拡大断面図である。
【図８】両側辺に厚さ方向中央から表面に亘るような傾斜が設けられた防食ボードを用いた場合の防食ボードの接合部の拡大図である。
【図９】マンホールの内壁面に沿って横方向に並べられた、各辺が防食ボードの表面に対して垂直に形成された防食ボードの接合部の拡大図である。
【符号の説明】
【００３１】
１  マンホール
３  ステップ
４Ａ，４Ｂ  目地
１０  防食ボード
１１ａ、１１ｂ  改質硫黄
１２  補強層
２０  アンカーボルト
２１  ナット
２２  押さえ部材
２５  皿ナット
３０  モルタル
４０Ａ、４０Ｂ、４１、４２  接着剤
【図１】
0005193661.tif 000002
【図４】
0005193661.tif 000003
【図５】
0005193661.tif 000004
【図７】
0005193661.tif 000005
【図２】
0005193661.tif 000006
【図３】
0005193661.tif 000007
【図６】
0005193661.tif 000008
【図８】
0005193661.tif 000009
【図９】
0005193661.tif 000010